(57)【要約】      （修正有）【課題】油水分離装置として自立し、油が浮いている機械側タンクを移動しながら巡回し、油水を分離して水はタンクに返し、油を回収することができる可動式の浮上油回収車を提供する。【解決手段】浮上油回収車１は、油水分離を行う機械に設けられた機械側タンク内の液中に浮上させて、当該液中に浮上する浮上油を吸引して回収する浮上油回収装置と、浮上油回収装置により回収された浮上油を油と液とに分離する油水分離装置１１と、油水分離装置１１により分離回収された油を一時的に貯留する油貯留タンク３と、移動手段として、例えば、車輪６を備えた架台１４と、を備えている。油水分離装置１１と油貯留タンク３とは架台１４上に隣接して載置されており、浮上油回収車１は移動可能に構成されている。【選択図】図１
0003178321.tif 000002
【実用新案登録請求の範囲】
【請求項１】
タンク内の液中に浮上させて、当該液中に浮上する浮上油を吸引して回収する浮上油回収装置と前記浮上油回収装置に可撓性を有する連結部材により連結され前記浮上油回収装置により回収された浮上油を油と液とに分離する油水分離装置と、前記油水分離装置により分離回収された油を貯留する油貯留タンクと、前記油水分離装置及び前記油貯留タンクを載置し、移動可能に構成された移動手段と、を備えたことを特徴とする浮上油回収車。
【考案の詳細な説明】
【技術分野】
【０００１】本考案は、複数台の機械タンクに浮上する浮上油を浮上油回収装置により回収し、油水分離するための油水分離装置を備えた可動式の浮上油回収車に関する。
【背景技術】
【０００２】従来より、油水分離装置として各装置に一台ずつ備える据え置き式又は固定式の油水分離装置が用いられてきた（例えば、特許文献１、特許文献２）。
【先行技術文献】
【特許文献】
【０００３】
【特許文献１】特開２０１１−２２４４８６号公報
【特許文献２】実登３１５３２７２号公報
【考案の概要】
【考案が解決しようとする課題】
【０００４】しかし、従来の油水分離装置では、複数台の機械に用いる場合、複数台の機械側タンクに油水分離装置を設け、機械側タンクに浮上した油を回収するが、設置にはかなりのスペースが必要であり、機械一台ごとに油水分離装置を一台設置する費用が必要であり、また回収した油を日毎に取り除く作業が必要であった。【０００５】そこで、本考案は油水分離装置として自立し、油が浮いている機械側タンクを移動しながら巡回し、油水を分離して水は機械側タンクに返し、油を回収することができる可動式の浮上油回収車を提供することを目的とする。
【課題を解決するための手段】
【０００６】請求項１に記載の考案では、浮上油回収車は、タンク内の液中に浮上させて、当該液中に浮上する浮上油を吸引して回収する浮上油回収装置と、前記浮上油回収装置に可撓性を有する連結部材により連結され前記浮上油回収装置により回収された浮上油を油と液とに分離する油水分離装置と、前記油水分離装置により分離回収された油を貯留する油貯留タンクと、前記油水分離装置及び前記油貯留タンクを載置し、移動可能に構成された移動手段と、を備えた、という技術的手段を用いる。【０００７】請求項１に記載の考案によれば、浮上油回収装置は、可撓性を有する連結部材により油水分離装置に連結されているので、機械側タンクへの設置及び取り外しが容易であり、浮上油回収車は、移動手段を備えているので、浮上油回収装置とともに油水分離装置及び油貯留タンクを移動させることができる。これにより、ある機械で浮上油を回収し、油水分離作業が終了した後、他の機械へ移動して油水分離作業を続けることができる。従って、浮上油回収車が１台あれば複数台の機械を巡回して油水分離作業ができるので一台ごとに油水分離装置を設置しなくても良い。また、浮上油回収車は分離回収された油を貯留する油貯留タンクを備えているので、回収した油をその都度排出することなく、移動して用いることができる。これにより、効率的な油水分離作業を行うことができる。
【図面の簡単な説明】
【０００８】
【図１】本考案の浮上油回収車の側面図である。
【図２】本考案の浮上油回収車の上面図である。
【図３】浮上油回収装置の説明図である。
【考案を実施するための形態】
【０００９】  以下、本考案の浮上油回収装置について図を参照して説明する。なお、本考案は、以下の実施形態に限定されるものではない。
【００１０】浮上油回収車１は、油水分離を行う機械に設けられた機械側タンク１３内の液中に浮上させて、当該液中に浮上する浮上油を吸引して回収する浮上油回収装置１０と、浮上油回収装置１０により回収された浮上油を油と液とに分離する油水分離装置１１と、油水分離装置１１により分離回収された油を一時的に貯留する油貯留タンク３と、を備えている。
【００１１】また、浮上油回収車１は、移動手段として、例えば、車輪６を備えた架台１４を備えている。油水分離装置１１と油貯留タンク３とは架台１４上に隣接して載置されており、浮上油回収車１は移動可能に構成されている。また、移動が容易なように取っ手２が設けられている。
【００１２】浮上油回収装置１０は、例えば考案者が特許文献２において提案した図３に示すような浮上油回収装置１０を用いることができる。浮上油回収装置１０は、機械側タンク１３内に浮上している油、ゴミなどを含んだ浮上油を吸引する吸入口１０ａを備えた吸引部材であるエルボ１０ｂと、吸入口１０ａを浮上させるフロート１０ｃと、を備え、フレーム１０ｄに取り付けられたフロート１０ｃをナット１０ｅを介して取り付けたエルボ１０ｂに可撓性を有する連結部材であるホース１２を取り付けた簡単な構造である。ホース１２は浮上油分離装置１１の側面部の吸引口４に取り付けられている。図３には、フロート１０ｃによりエルボ１０ｂが液上に浮いた状態を示す。吸入口１０ａの高さは、ナット１０ｅにより液面（油面）より少し低い位置に調整する。浮上油は、浮上油回収装置１０とホース１２を介して連通する油水分離装置１１が内蔵するポンプ（図示せず）により吸引することにより、機械側タンク１３から排出され、吸引口４から油水分離装置１１に導入される。
【００１３】浮上油回収装置１０は、ホース１２とともに持ち上げて、機械側タンク１３の液中に浮かべて設置したり、機械側タンク１３から取り外したりすることが簡単にできる。浮上油回収車１を移動する際にはホース１２を持ち上げて機械側タンク１３から浮上油回収装置１０を取り出して、油水分離装置１１、油貯留タンク３とともに移動することができる。なお、浮上油回収装置の構成は、上述のように機械側タンク１３への設置及び取り外しが容易であれば、本構成に限定されるものではない。
【００１４】機械側タンク１３から浮上油回収装置１０を経由して吸い上げた浮上油は油水分離装置１１で水と油に分離される。分離した水は排水口５から機械側タンク１３へ戻される。分離回収された油は、油排出口８から吐出され、連通した油排出穴９から油貯留タンク３へ案内され油貯留タンク３の内部に貯留される。油貯留タンク３に溜まった油は、必要に応じて排出バルブ７を緩めて外部へ排出することができる。
【考案の効果】
【００１５】  上述のように、本考案の浮上油回収車１によれば次に列挙する効果が得られる。
（１）浮上油回収装置１０は機械側タンク１３への着脱が容易であり、浮上油回収車１は、移動手段として、車輪６を備えた架台１４を備えているので、浮上油回収装置１０とともに油水分離装置１１及び油貯留タンク３を移動させることができる。これにより、ある機械で浮上油を回収し、油水分離作業が終了した後、他の機械へ移動して油水分離作業を続けることができる。従って、浮上油回収車１が１台あれば複数台の機械を巡回して油水分離作業ができるので一台ごとに油水分離装置を設置しなくても良い。
（２）浮上油回収車１は分離回収された油を貯留する油貯留タンク３を備えているので、回収した油をその都度排出することなく、移動して用いることができる。これにより、効率的な油水分離作業を行うことができる。また、必要に応じて備え付けのバルブを緩めて排出ができる。
【産業上の利用可能性】
【００１６】  本考案の浮上油回収車は、洗浄機、工作機械等に利用することができる。
【符号の説明】
【００１７】１…浮上油回収車
２…取っ手
３…油貯留タンク
４…吸引口
５…排水口
６…車輪
７…排出バルブ
８…油排出口
９…油排出穴
１０…浮上油回収装置
１１…油水分離装置
１２…ホース
１３…機械側タンク
１４…架台
【図１】
0003178321.tif 000003
【図２】
0003178321.tif 000004
【図３】
0003178321.tif 000005